(57)【要約】      （修正有）【課題】被搬送物を対象に迅速に取り付けることができる取付器具を提供する。【解決手段】取付器具が被搬送物２４を接続ボード３６に取り付けるように構成される。接続ボード３６は被搬送物２４の位置決め部材４２を取り付けるための取付孔４０と共に配置される。取付器具は、遮断部６０、操作部６２及び基部５８を含む。遮断部６０は接続ボード３６の取付孔４０に隣接する。操作部６２は、遮断部６０に動作可能に接続される。基部５８は、接続ボード３６に接続される第１セクション６４ａと、遮断部６０に接続される第２セクションとを有する。被搬送物２４の位置決め部材４２が接続ボード３６の取付孔４０に入るとき、遮断部６０は位置決め部材４２を遮断するように構成される。操作部６２が、接続ボード３６の取付孔４０から離れて遮断部６０を動かすように操作されるとき、位置決め部材４２は取付孔４０から係脱することができる。【選択図】図８
0003202097.tif 000002
【実用新案登録請求の範囲】
【請求項１】
接続ボードに被搬送物を取り付けるように構成される取付器具であり、前記被搬送物は位置決め部材を含み、前記接続ボードは前記位置決め部材を取り付けるための取付孔と共に配置される、取付器具であって、
前記接続ボードの前記取付孔に隣接する遮断部と、
前記遮断部に動作可能に接続される操作部と、
第１セクションと、前記第１セクションに対応する第２セクションとを有する基部と、
を含み、
前記第１セクションは前記接続ボードに接続され、
前記第２セクションは前記遮断部に接続され、
前記被搬送物の前記位置決め部材が、前記接続ボードの前記取付孔に入るとき、前記遮断部は、前記位置決め部材を遮断するように構成され、
前記操作部が、前記接続ボードの前記取付孔から離れて前記遮断部を動かすように操作されるとき、前記位置決め部材は、前記接続ボードの前記取付孔から係脱することができる、
取付器具。
【請求項２】
前記遮断部に隣接する開口部を更に含み、
前記開口部は前記接続ボードの前記取付孔に対応し、
前記被搬送物の前記位置決め部材が、前記接続ボードの前記取付孔に取り付けられるとき、前記位置決め部材は、前記開口部に入り、かつ、前記遮断部によって遮断される、請求項１に記載の取付器具。
【請求項３】
前記基部は、前記操作部と前記遮断部との間に配置され、
前記操作部は前記基部に対して傾斜する、請求項１に記載の取付器具。
【請求項４】
遮断部に隣接する少なくとも１つのガイド部を更に含み、
前記被搬送物の前記位置決め部材は、前記少なくとも１つのガイド部を介して前記開口部内に案内される、請求項２に記載の取付器具。
【請求項５】
前記操作部から離れて位置する延伸部を更に含み、
前記接続ボードは、前記延伸部に対して当接する補助部を更に含む、請求項１に記載の取付器具。
【請求項６】
少なくとも１つのリブが、前記操作部と前記遮断部との間に配置される、請求項１に記載の取付器具。
【請求項７】
前記接続ボードは、側壁と、前記側壁から実質的に屈曲した延伸壁とを更に含み、
前記接続ボードの前記取付孔は、第１部分及び第２部分を含み、
前記第１部分は前記延伸壁に配置され、
前記第２部分は、前記側壁に配置され、かつ、前記第１部分と連通している、請求項１に記載の取付器具。
【請求項８】
スライドレールアセンブリに適用可能な取付器具であり、前記スライドレールアセンブリは被搬送物をラックに取り付けるように構成され、前記スライドレールアセンブリは第１レールと、前記第１レールに対して縦方向に移動可能な第２レールとを含み、前記第２レールは前記被搬送物の位置決め部材を取り付けるための取付孔と共に配置される、取付器具であって、
第１セクション及び第２セクションを有する基部と、
前記基部の前記第２セクションに接続され、かつ、前記第２レールの前記取付孔に隣接する遮断部と、
前記遮断部に動作可能に接続されて前記遮断部が動くのを制御する操作部と、
を含み、
前記第１セクションは、前記第２レールに接続され、
前記被搬送物の前記位置決め部材が前記第２レールの前記取付孔に入った後、前記遮断部は、前記位置決め部材を遮断するように構成され、
前記操作部が、前記第２レールの前記取付孔から離れて前記遮断部を動かすように操作されるとき、前記位置決め部材は、前記第２レールの前記取付孔から係脱することができる、
取付器具。
【請求項９】
前記遮断部に隣接する開口部を更に含み、
前記開口部は、前記第２レールの前記取付孔に対応し、
前記被搬送物の前記位置決め部材が前記第２レールの前記取付孔に取り付けられるとき、前記位置決め部材は、前記開口部に入り、かつ、前記遮断部によって遮断される、請求項８に記載の取付器具。
【請求項１０】
前記基部は、前記操作部と前記遮断部との間に配置され、
前記操作部は前記基部に対して傾斜する、請求項８に記載の取付器具。
【請求項１１】
前記遮断部に隣接する少なくとも１つのガイド部を更に含み、
前記被搬送物の前記位置決め部材は、前記少なくとも１つのガイド部を介して前記開口部内に案内される、請求項９に記載の取付器具。
【請求項１２】
少なくとも１つのリブが、前記操作部と前記遮断部との間に配置される、請求項１に記載の取付器具。
【請求項１３】
第１セクション及び第２セクションを有する基部と、
前記基部の前記第２セクションに接続される遮断部と、
前記遮断部に動作可能に接続され、かつ、前記基部の前記第１セクションに対して前記遮断部を動かすように構成される操作部と、
を含む、取付器具。
【請求項１４】
前記操作部は、前記基部の前記第１セクションに対して傾斜し、
前記取付器具は開口部及びガイド部を更に含み、
前記遮断部は、前記開口部と前記ガイド部との間に配置される、請求項１３に記載の取付器具。
【考案の詳細な説明】
【技術分野】
【０００１】
本考案は、取付器具（ｍｏｕｎｔｉｎｇ  ｄｅｖｉｃｅ）に関し、特に、工具を使用することなく、被搬送物（ｃａｒｒｉｅｄ  ｏｂｊｅｃｔ）を対象に迅速に取り付けることができる取付器具に関する。
【背景技術】
【０００２】
概して、スライドレールアセンブリは、少なくとも２つのレールを含む。レールは、互いに対して縦方向に移動することができ、スライドレールアセンブリが延伸するか、あるいは、縮退することを可能にする。レールのうちの１つは、通常、被搬送物と共に装着されるように構成され、これにより、被搬送物は、２つのレールの相対移動を介して、縮退位置（ｒｅｔｒａｃｔｅｄ  ｐｏｓｉｔｉｏｎ）から延伸位置（ｅｘｔｅｎｄｅｄ  ｐｏｓｉｔｉｏｎ）へと移動することができる。例えば、米国特許第８，５６２，０８５Ｂ２号明細書には、スライドアセンブリ用の装着器具（ｉｎｓｔａｌｌａｔｉｏｎ  ｄｅｖｉｃｅ）が開示されている。この明細書では、外装品（ｅｘｔｅｒｉｏｒ  ｅｑｕｉｐｍｅｎｔ）（３８）が装着部材（ｉｎｓｔａｌｌａｔｉｏｎ  ｍｅｍｂｅｒ）（４０ａ）を介してスライドアセンブリのレール（１２）の装着孔（ｉｎｓｔａｌｌａｔｉｏｎ  ｈｏｌｅ）（２０ａ）に係合し、保持部材（２２）の保持孔（３２）が装着部材（４０ａ）を収容する。これにより、外装品（３８）の装着部材（４０ａ）は、装着孔（２０ａ）内に位置し、レール（１２）から係脱することができない。この場合は、参照として提供される。
【考案の概要】
【０００３】
本考案は、被搬送物を対象（スライドレール又は接続ボードなど）に取り付けることができる取付器具に関する。
【０００４】
本考案の一実施形態によると、取付器具は被搬送物を接続ボードに取り付けるよう構成される。被搬送物は、位置決め部材を含む。接続ボードは、位置決め部材を取り付けるための取付孔（ｍｏｕｎｔｉｎｇ  ｈｏｌｅ）と共に配置される。取付器具は、遮断部、操作部及び基部を含む。遮断部は接続ボードの取付孔に隣接する。操作部は遮断部に動作可能に接続される。基部は、第１セクションと、第１セクションに対応する第２セクションとを有する。第１セクションは接続ボードに接続され、第２セクションは遮断部に接続される。被搬送物の位置決め部材が接続ボードの取付孔に入るとき、遮断部は位置決め部材を遮断するように構成される。操作部が、接続ボードの取付孔から離れて遮断部を動かすように操作されるとき、位置決め部材は、接続ボードの取付孔から係脱することができる。
【０００５】
本考案の他の実施形態によると、取付器具はスライドレールアセンブリに適用可能である。スライドレールアセンブリは、被搬送物をラックに取り付けるように構成される。スライドレールアセンブリは、第１レールと、第１レールに対して縦方向に移動可能な第２レールとを含む。第２レールは、被搬送物の位置決め部材を取り付けるための取付孔と共に配置される。取付器具は、基部、遮断部及び操作部を含む。基部は第１セクション及び第２セクションを有する。第１セクションは第２レールに接続される。遮断部は、基部の第２セクションに接続され、かつ、第２レールの取付孔に隣接する。被搬送物の位置決め部材が第２レールの取付孔に入った後、遮断部は、位置決め部材を遮断するように構成される。操作部は、遮断部に動作可能に接続されて遮断部が動くのを制御する。操作部が、第２レールの取付孔から離れて遮断部を動かすように操作されるとき、位置決め部材は第２レールの取付孔から係脱することができる。
【０００６】
本考案の他の実施形態によると、取付器具は基部、遮断部及び操作部を含む。基部は第１セクション及び第２セクションを有する。遮断部は、基部の第２セクションに接続される。操作部は、遮断部に動作可能に接続され、かつ、基部の第１セクションに対して遮断部を動かすように構成される。
【０００７】
本考案の上記実施形態のうちの１つによると、取付器具は、遮断部に隣接する開口部を更に含む。開口部は接続ボードの取付孔に対応し、被搬送物の位置決め部材が接続ボードの取付孔に取り付けられるとき、位置決め部材は、開口部に入り、かつ、遮断部によって遮断される。
【０００８】
本考案の上記実施形態のうちの１つによると、基部は操作部と遮断部との間に配置され、操作部は基部に対して傾斜する。
【０００９】
本考案の上記実施形態のうちの１つによると、取付器具は、遮断部に隣接する少なくとも１つのガイド部を更に含む。被搬送物の位置決め部材は、少なくとも１つのガイド部を介して開口部内に案内され、かつ、遮断部によって遮断される。
【００１０】
本考案の上記実施形態のうちの１つによると、取付器具は、操作部から離れて位置する延伸部を更に含み、接続ボードは延伸部に対して当接する（ａｂｕｔ）補助部を更に含む。
【００１１】
本考案の上記実施形態のうちの１つによると、少なくとも１つのリブ（ｒｉｂ）が操作部と遮断部との間に配置される。
【００１２】
本考案の上記実施形態のうちの１つによると、接続ボードは、側壁と、側壁から実質的に屈曲した延伸壁とを更に含む。接続ボードの取付孔は、第１部分及び第２部分を含む。第１部分は延伸壁に配置され、第２部分は側壁に配置され、かつ、第１部分と連通している。
【００１３】
本考案の上記実施形態のうちの１つによると、操作部は基部の第１セクションに対して傾斜する。取付器具は、開口部及びガイド部を更に含む。遮断部は開口部とガイド部との間に配置される。
【００１４】
本考案の特徴の一つは、取付器具の遮断部によって被搬送物の位置決め部材を遮断することを通して、工具を使用することなく、被搬送物を対象に迅速に取り付けることができることである。
【００１５】
本考案の上記及びその他の目的が、さまざまな図形及び図面に図示される好ましい実施形態の以下の詳細な説明を読むと、当業者に明白なことは言うまでもない。
【図面の簡単な説明】
【００１６】
【図１】本考案の一実施形態に従った、スライドレールアセンブリに適用可能な取付器具と、スライドレールアセンブリを介してラックに取り付けられる被搬送物とを示す図である。
【図２】図１のスライドレールアセンブリの拡大図である。
【図３】本考案の一実施形態に従った、レールの接続ボードに取り付けられ、かつ、取着される被搬送物と、接続ボードに取着され、かつ、接続ボードの取付孔に隣接する取付器具とを示す図である。
【図４】本考案の一実施形態に従った、取付器具及び接続ボードの拡大図である。
【図５】本考案の一実施形態に従った、取付器具の上面図である。
【図６Ａ】本考案の一実施形態に従った、取付孔に入る前の位置決め部材を図示するために、位置決め部材を介して接続ボードの取付孔に取り付けられることができる被搬送物を示す図である。
【図６Ｂ】本考案の一実施形態に従った、取付孔の第１部分に入る位置決め部材を図示するために、位置決め部材を介して接続ボードの取付孔に取り付けられることができる被搬送物を示す図であり、位置決め部材の一部は、取付器具のガイド部によって案内される。
【図６Ｃ】本考案の一実施形態に従った、取付孔の第２部分に入る位置決め部材を図示するために、位置決め部材を介して接続ボードの取付孔に取り付けることができ、かつ、取付器具の遮断部によって遮断される、被搬送物を示す図である。
【図７】本考案の一実施形態に従った、接続ボードの取付孔に取り付けられる被搬送物の位置決め部材を示す図であり、位置決め部材は取付器具の遮断部によって遮断される。
【図８】本考案の一実施形態に従った、接続ボードの取付孔に取り付けられる被搬送物の位置決め部材を示す図であり、位置決め部材は、取付器具の操作部を操作することによって接続ボードの取付孔から係脱することができる。
【図９】本考案の他の実施形態に従った、スライドレールアセンブリのレールに取着される取付器具を示す図である。
【考案を実施するための形態】
【００１７】
図１は、本考案の一実施形態に従ったスライドレールアセンブリ２２に適用可能な取付器具２０を示す。スライドレールアセンブリ２２は被搬送物２４をラック２６に取り付けるように構成される。被搬送物２４は一対のスライドレールアセンブリ２２を介してラック２６の二対のポスト２８ａ及び２８ｂに取り付けられ得る。
【００１８】
図１及び図２に示すように、スライドレールアセンブリ２２は、第１レール３０及び第２レール３２を含む。本実施形態において、スライドレールアセンブリ２２は、第３レール３４及び接続ボード３６を更に含む。第１レール３０の２つの部分は、２つのブラケット３８ａ及び３８ｂを介してラック２６の一対のポスト２８ａ及び２８ｂに取り付けることができる。第３レール３４は、縦方向に沿って第１レール３０に移動可能に接続される。第３レール３４は、第１レール３０に対して第２レール３２の移動距離を延長するように構成される。一方で、第２レール３２は、縦方向に沿って第３レール３４に移動可能に接続される。接続ボード３６は第２レール３２に取着されてひとまとまりとして見なされる。例えば、接続ボード３６及び第２レール３２は、直接一体化して形成されるか、あるいは、ねじ、掛け金（ｌａｔｃｈｉｎｇ）、リベット、バックル又は半田などといった、接続手段を介して互いに接続され得るが、本考案はこれに限らない。接続ボード３６は、第２レール３２を介して第３レール３４に移動可能に接続され、かつ、第１レール３０に対して縦方向に移動可能である。
【００１９】
図３に図示するように、接続ボード３６は少なくとも１つの取付孔と共に配置され、本実施形態では、３つの取付孔４０がある。一方で、被搬送物２４は、取付孔４０に対応する複数の位置決め部材４２を含むことができる。取付孔４０は、それに応じて、被搬送物２４の位置決め部材４２を取り付けるように構成され、接続ボード３６に被搬送物２４を更に取り付けることができる。特に、取付孔及び位置決め部材の数は、要件に従った上記実施形態とは異なり、本考案はこれに限定されない。
【００２０】
図３及び図４に図示すように、取付器具２０は第２レール３２上の接続ボード３６に被搬送物２４を取り付け、かつ、取着するように構成される。本実施形態において、接続ボード３６は、側壁４４、延伸壁４６及び補助部４８を更に含む。側壁４４は第１接続機構５０を有する。更に、被搬送物２４の位置決め部材４２の高さに対応するために、接続ボード３６の側壁４４は、第２レール３２の側壁５２よりも高い。延伸壁４６は、側壁４４から実質的に屈曲し、補助部４８は側壁４４から水平に突出され得る。具体的に、取付器具２０は接続ボード３６の側壁４４に取着されることができ、かつ、接続ボード３６の取付孔４０のうちの１つに隣接する。取付孔４０はＵ形状、Ｊ形状又は他の形状でよく、本考案はこれらに限らない。本実施形態において、取付孔４０は、第１部分５４及び第２部分５６を含むことができる。第１部分５４は、延伸壁４６に配置され、第２部分５６は側壁４４に配置され、かつ、第１部分５４と連通している。
【００２１】
図４及び図５に図示するように、取付器具２０は基部５８、遮断部６０及び操作部６２を含む。
【００２２】
基部５８は遮断部６０と操作部６２との間に配置され、本実施形態において、基部５８は長板状である。基部５８は第１セクション６４ａと、第１セクション６４ａに対応する第２セクション６４ｂとを含む。第１セクション６４ａは接続ボード３６の第１接続機構５０に取着され得る（例えば、スタンピングを介して）。本実施形態において、基部５８の第１セクション６４ａは、接続ボード３６の第１接続機構５０に対応する第２接続機構６６を含むことができる。これにより、取付器具２０は、第２接続機構６６を介して接続ボード３６の第１接続機構５０に接続され得る。
【００２３】
遮断部６０は基部５８の第２セクション６４ｂに接続され、遮断部６０は接続ボード３６の取付孔４０に隣接する。
【００２４】
操作部６２は遮断部６０に動作可能に接続されて遮断部６０が動くのを制御する。本実施形態において、操作部６２はプラスチックであり、かつ、基部５８の第１セクション６４ａに対して適切な高さで傾斜する。好ましくは、取付器具２０は開口部６８、少なくとも１つのガイド部７０、延伸部７２及び少なくとも１つのリブ７４を更に含むことができる。開口部６８は遮断部６０に隣接し、開口部６８は接続ボード３６の取付孔４０に対応する。例えば、開口部６８は接続ボード３６の取付孔４０の第２部分５６に対応することができる。少なくとも１つのガイド部７０は、遮断部６０に隣接する。本実施形態において、取付器具２０は、一対のガイド部７０を含み、ガイド部７０の各々は、対応する遮断部６０に隣接する。遮断部６０は、開口部６８とガイド部７０のうちの１つとの間に配置される。延伸部７２は、取付器具２０における適切な位置で配置され得る。本実施形態において、延伸部７２は操作部６２から離れた位置に配置されるが、本考案はこれに限らない。延伸部７２は接続ボード３６の補助部４８に対応することができ、例えば、接続ボード３６の補助部４８は、取付器具２０の延伸部７２に対して当接するよう構成される。これにより、取付器具２０は接続ボード３６に対応する所定の位置で維持され得る。少なくとも１つのリブ７４は操作部６２と遮断部６０との間に構造的な補強のために配置され、これにより、操作部６２と遮断部６０との間の接合部は、より良い構造強度を有することができる。本実施形態において、対応する位置で配置される２つのリブ７４があるが、本考案はこれに限らない。
【００２５】
図６Ａ、図６Ｂ及び図６Ｃに図示するように、被搬送物２４は、位置決め部材４２を介して接続ボード３６の取付孔４０に対応して取り付けられ得る。具体的に、被搬送物２４の位置決め部材４２を接続ボード３６の取付孔４０に取り付けるプロセス中、位置決め部材４２は取付孔４０の第１部分５４を貫通し、位置決め部材４２の一部はガイド部７０の傾斜面７６によって案内されて取付器具２０の開口部６８に入り、次いで、遮断部６０によって遮断される。これにより、位置決め部材４２は接続ボード３６の取付孔４０に制限される。例えば、被搬送物２４が取付孔４０の第２部分５６から第１部分５４へ持ち上げられるとき、位置決め部材４２は取付器具２０の遮断部６０のうちの１つによって遮断される。
【００２６】
図７及び図８に図示するように、操作部６２が操作されるとき、基部５８の第１セクション６４ａは、固定点として使用され、遮断部６０が基部５８の第１セクション６４ａに対してある方向に傾くことを可能にする。これにより、接続ボード３６の取付孔４０から離れて遮断部６０を動かすことができる。つまり、基部５８の第１セクション６４ａに対して遮断部６０を動かし、位置決め部材４２が遮断部６０によって遮断されないようにすることを可能にする。それ故、位置決め部材４２は接続ボード３６の取付孔４０から係脱され、接続ボード３６から被搬送物２４を除去することができる。
【００２７】
図９は、本考案の第２の実施形態に従った取付器具２０を示す。取付器具２０は、第２レール２００などのスライドレールアセンブリのレールに直接取着され得る。具体的に、第２レール２００は第１レール２０２に対して縦方向に移動可能である。本実施形態において、第２レール２００は第３レール２０４を介して第１レール２０２に移動可能に接続され、かつ、第１レール２０２に対して縦方向に移動可能である。しかし、本考案の別の実施形態（図示しない）において、第２レール２００は直接的に、かつ、移動可能に第１レール２０２に接続されることができ、かつ、第１レール２０２に対して縦方向に移動可能である。しかし、本考案はこれに限らない。第２レール２００は、被搬送物の上述した位置決め部材を取り付けるための少なくとも１つの取付孔２０６を含む。取付器具２０の第１セクション６４ａは、第２レール２００に接続される。取付器具２０の遮断部（図５の遮断部６０を参照）は、基部５８の第２セクション６４ｂに接続され、かつ、第２レール２００の取付孔２０６に隣接する。取付器具２０に関する構造的特徴及び動作原理については、第１の実施形態を参照することができる（例えば、図４及び図５）。取付器具２０の操作部６２を操作することによって、第２レール２００の取付孔２０６から離れて遮断部６０を動かすことができ、これにより、被搬送物の上述した位置決め部材は、第２レール２００の取付孔２０６から係脱することができる。簡略化のため更なる説明は行わない。
【００２８】
当業者であれば、本考案の教示を維持しながら、デバイス及び方法の多くの変更及び代替が行われ得ることを容易に認識するであろう。従って、上記の開示は、添付した請求項の境界及び範囲（ｍｅｔｅｓ  ａｎｄ  ｂｏｕｎｄｓ）によってのみ限定されるとして理解されるべきである。
【符号の説明】
【００２９】
１２    レール
２０    取付器具
２０ａ    装着孔
２２    スライドレールアセンブリ
２４    被搬送物
２６    ラック
２８ａ    ポスト
２８ｂ    ポスト
３０    第１レール
３２    第２レール
３４    第３レール
３６    接続ボード
３８    外装品
３８ａ    ブラケット
３８ｂ    ブラケット
４０    取付孔
４０ａ    装着部材
４２    位置決め部材
４４    側壁
４６    延伸壁
４８    補助部
５０    第１接続機構
５２    側壁
５４    第１部分
５６    第２部分
５８    基部
６０    遮断部
６２    操作部
６４ａ    第１セクション
６４ｂ    第２セクション
６６    第２接続機構
６８    開口部
７０    ガイド部
７２    延伸部
７４    リブ
７６    傾斜面
２００    第２レール
２０２    第１レール
２０４    第３レール
２０６    取付孔
【図１】
0003202097.tif 000003
【図２】
0003202097.tif 000004
【図３】
0003202097.tif 000005
【図４】
0003202097.tif 000006
【図５】
0003202097.tif 000007
【図６Ａ】
0003202097.tif 000008
【図６Ｂ】
0003202097.tif 000009
【図６Ｃ】
0003202097.tif 000010
【図７】
0003202097.tif 000011
【図８】
0003202097.tif 000012
【図９】
0003202097.tif 000013
【手続補正書】
【提出日】平成27年11月10日(2015.11.10)
【手続補正１】
【補正対象書類名】実用新案登録請求の範囲
【補正対象項目名】全文
【補正方法】変更
【補正の内容】
【実用新案登録請求の範囲】
【請求項１】
接続ボードに被搬送物を取り付けるように構成される取付器具であり、前記被搬送物は位置決め部材を含み、前記接続ボードは前記位置決め部材を取り付けるための取付孔と共に配置される、取付器具であって、
前記接続ボードの前記取付孔に隣接する遮断部と、
前記遮断部に動作可能に接続される操作部と、
第１セクションと、前記第１セクションに対応する第２セクションとを有する基部と、
を含み、
前記第１セクションは前記接続ボードに接続され、
前記第２セクションは前記遮断部に接続され、
前記被搬送物の前記位置決め部材が、前記接続ボードの前記取付孔に入るとき、前記遮断部は、前記位置決め部材を遮断するように構成され、
前記操作部が、前記接続ボードの前記取付孔から離れて前記遮断部を動かすように操作されるとき、前記位置決め部材は、前記接続ボードの前記取付孔から係脱することができる、
取付器具。
【請求項２】
前記遮断部に隣接する開口部を更に含み、
前記開口部は前記接続ボードの前記取付孔に対応し、
前記被搬送物の前記位置決め部材が、前記接続ボードの前記取付孔に取り付けられるとき、前記位置決め部材は、前記開口部に入り、かつ、前記遮断部によって遮断される、請求項１に記載の取付器具。
【請求項３】
前記基部は、前記操作部と前記遮断部との間に配置され、
前記操作部は前記基部に対して傾斜する、請求項１に記載の取付器具。
【請求項４】
前記遮断部に隣接する少なくとも１つのガイド部を更に含み、
前記被搬送物の前記位置決め部材は、前記少なくとも１つのガイド部を介して前記開口部内に案内される、請求項２に記載の取付器具。
【請求項５】
前記操作部から離れて位置する延伸部を更に含み、
前記接続ボードは、前記延伸部に対して当接する補助部を更に含む、請求項１に記載の取付器具。
【請求項６】
少なくとも１つのリブが、前記操作部と前記遮断部との間に配置される、請求項１に記載の取付器具。
【請求項７】
前記接続ボードは、側壁と、前記側壁から実質的に屈曲した延伸壁とを更に含み、
前記接続ボードの前記取付孔は、第１部分及び第２部分を含み、
前記第１部分は前記延伸壁に配置され、
前記第２部分は、前記側壁に配置され、かつ、前記第１部分と連通している、請求項１に記載の取付器具。
【請求項８】
スライドレールアセンブリに適用可能な取付器具であり、前記スライドレールアセンブリは被搬送物をラックに取り付けるように構成され、前記スライドレールアセンブリは第１レールと、前記第１レールに対して縦方向に移動可能な第２レールとを含み、前記第２レールは前記被搬送物の位置決め部材を取り付けるための取付孔と共に配置される、取付器具であって、
第１セクション及び第２セクションを有する基部と、
前記基部の前記第２セクションに接続され、かつ、前記第２レールの前記取付孔に隣接する遮断部と、
前記遮断部に動作可能に接続されて前記遮断部が動くのを制御する操作部と、
を含み、
前記第１セクションは、前記第２レールに接続され、
前記被搬送物の前記位置決め部材が前記第２レールの前記取付孔に入った後、前記遮断部は、前記位置決め部材を遮断するように構成され、
前記操作部が、前記第２レールの前記取付孔から離れて前記遮断部を動かすように操作されるとき、前記位置決め部材は、前記第２レールの前記取付孔から係脱することができる、
取付器具。
【請求項９】
前記遮断部に隣接する開口部を更に含み、
前記開口部は、前記第２レールの前記取付孔に対応し、
前記被搬送物の前記位置決め部材が前記第２レールの前記取付孔に取り付けられるとき、前記位置決め部材は、前記開口部に入り、かつ、前記遮断部によって遮断される、請求項８に記載の取付器具。
【請求項１０】
前記基部は、前記操作部と前記遮断部との間に配置され、
前記操作部は前記基部に対して傾斜する、請求項８に記載の取付器具。
【請求項１１】
前記遮断部に隣接する少なくとも１つのガイド部を更に含み、
前記被搬送物の前記位置決め部材は、前記少なくとも１つのガイド部を介して前記開口部内に案内される、請求項９に記載の取付器具。
【請求項１２】
少なくとも１つのリブが、前記操作部と前記遮断部との間に配置される、請求項８に記載の取付器具。
【請求項１３】
接続ボードに被搬送物を取り付けるように構成される取付器具であり、前記被搬送物は位置決め部材を含み、前記接続ボードは前記位置決め部材を取り付けるための取付孔と共に配置される取付器具か、あるいは、スライドレールアセンブリに適用可能な取付器具であり、前記スライドレールアセンブリは被搬送物をラックに取り付けるように構成され、前記スライドレールアセンブリは第１レールと、前記第１レールに対して縦方向に移動可能な第２レールとを含み、前記第２レールは前記被搬送物の位置決め部材を取り付けるための取付孔と共に配置される、取付器具であって、
第１セクション及び第２セクションを有する基部と、
前記基部の前記第２セクションに接続される遮断部と、
前記遮断部に動作可能に接続され、かつ、前記基部の前記第１セクションに対して前記遮断部を動かすように構成される操作部と、
を含む、取付器具。
【請求項１４】
前記操作部は、前記基部の前記第１セクションに対して傾斜し、
前記取付器具は開口部及びガイド部を更に含み、
前記遮断部は、前記開口部と前記ガイド部との間に配置される、請求項１３に記載の取付器具。